(57)【要約】【課題】屋外空間と小屋裏とで通気可能な通気部材において、屋外側開口から吹き込んだ風雨が、小屋裏側開口にまで至るのを抑制することができる通気部材を提供する。【解決手段】通気部材４は、屋外空間に開口する屋外側開口４１と、小屋裏３に開口する小屋裏側開口５１３とを通じさせる通気路を有する通気部材４である。通気路は、小屋裏側開口５１３よりも下側且つ屋外側に位置して屋内外方向に開口する開口部９２と、該開口部９２から上方に延びる縦通気路９３と、該縦通気路９３の上端から屋内側に水平に延びてその上方に位置する小屋裏側開口５１３に繋がる横通気路９４とを有している。横通気路９４には、開口部９２から入って小屋裏側開口５１３に向かう気流を受ける気流受け部５１２が設けられている。【選択図】図３
2018131893.tif 000002
【特許請求の範囲】
【請求項１】
屋外空間に開口する屋外側開口と、小屋裏に開口する小屋裏側開口とを通じさせる通気路を有する通気部材であって、
前記通気路は、前記小屋裏側開口よりも下側且つ屋外側に位置して屋内外方向に開口する開口部と、該開口部から上方に延びる縦通気路と、該縦通気路の上端から屋内側に水平に延びてその上方に位置する前記小屋裏側開口に繋がる横通気路と、を有し、
前記横通気路には、前記開口部から入って前記小屋裏側開口に向かう気流を受ける気流受け部が設けられている
ことを特徴とする通気部材。
【請求項２】
前記横通気路の上面部は、屋内外方向と直交する水平な方向から見て、前記縦通気路と前記横通気路との接続部分における下側のコーナー部及び前記開口部の上縁を結ぶ仮想直線と、前記上面部と、の交点よりも屋内側に延びる延出部位を有しており、
前記気流受け部は、前記延出部位で構成されている
ことを特徴とする請求項１に記載の通気部材。
【請求項３】
前記横通気路は、外壁材と壁下地との間に形成された通気層に開口する通気層側開口を有する
ことを特徴とする請求項１又は２に記載の通気部材。
【請求項４】
前記通気層側開口は、前記小屋裏側開口の下方に位置する
ことを特徴とする請求項３に記載の通気部材。
【請求項５】
前記横通気路の前記通気層側に配置され、下端部が前記通気層の厚み方向中程に位置する気流受け面を備える
ことを特徴とする請求項３又は４に記載の通気部材。
【請求項６】
前記通気層側開口は、前記横通気路の底面部に形成され、
前記気流受け面は、前記横通気路の底面部から上方に延びて、上端部が屋外側に折り返されている縦板部によって構成されている
ことを特徴とする請求項５に記載の通気部材。
【請求項７】
前記横通気路は、前記縦通気路側とは反対側の端部を形成する縦板部を有し、
前記縦板部に対して屋内側に断熱材を保持する断熱材保持部を有している
ことを特徴とする請求項１〜６のいずれか１項に記載の通気部材。
【発明の詳細な説明】
【技術分野】
【０００１】
本発明は、通気部材に関し、特に、屋外空間と小屋裏とで通気可能な通気部材に関する。
【背景技術】
【０００２】
特許文献１には、従来の通気部材が開示されている。この特許文献１記載の通気部材は、通気見切材であり、外壁材の上端に取り付けられている。この通気見切材は、外壁の裏側に設けられた通気層と屋外空間とを連通する通気路を有しており、この通気路を介して通気層の換気を行うことができる。
【先行技術文献】
【特許文献】
【０００３】
【特許文献１】特開２０１１−１５７６９６号公報
【発明の概要】
【発明が解決しようとする課題】
【０００４】
ところで、この種の通気見切材として、屋外空間と小屋裏とで通気を行う通気部材も存在する。
【０００５】
この種の通気部材は、屋外空間に開口する屋外側開口と、小屋裏に開口する小屋裏側開口とを連通する通気路を有しているが、屋外側開口から流入する気流が勢いよく小屋裏側開口にまで至ると、気流と共に雨水が小屋裏側開口を通じて小屋裏に入ってしまうという問題がある。
【０００６】
本発明は、上記事情に鑑みてなされたものであり、その目的とするところは、屋外空間と小屋裏とで通気可能な通気部材において、屋外側開口から吹き込んだ風雨が、小屋裏側開口にまで至るのを抑制することができる通気部材を提供することにある。
【課題を解決するための手段】
【０００７】
本発明の一態様の通気部材は、屋外空間に開口する屋外側開口と、小屋裏に開口する小屋裏側開口とを通じさせる通気路を有する通気部材であって、前記通気路は、前記小屋裏側開口よりも下側且つ屋外側に位置して屋内外方向に開口する開口部と、該開口部から上方に延びる縦通気路と、該縦通気路の上端から屋内側に水平に延びてその上方に位置する前記小屋裏側開口に繋がる横通気路と、を有し、前記横通気路には、前記開口部から入って前記小屋裏側開口に向かう気流を受ける気流受け部が設けられていることを特徴とする。
【発明の効果】
【０００８】
本発明の通気部材によれば、屋外空間と小屋裏とで通気可能な通気部材において、屋外側開口から吹き込んだ風雨が、小屋裏側開口にまで至るのを抑制することができる。
【図面の簡単な説明】
【０００９】
【図１】本発明の実施形態１の通気部材が設置された外壁構造の断面図である。
【図２】同上の通気部材の斜視図である。
【図３】同上の通気部材の断面図である。
【図４】本発明の実施形態２の通気部材の断面図である。
【図５】同上の通気部材の通気路を説明するための断面図である。
【図６】同上の通気部材が設置された外壁構造の断面図である。
【発明を実施するための形態】
【００１０】
以下、本発明の実施形態について添付図面に基づいて説明する。
【００１１】
（実施形態１）
実施形態１の通気部材４は、通気見切材であり、住宅家屋の外壁の上端部に取り付けられる。本実施形態の通気部材４は、平入側の外壁及び妻側の外壁のいずれの上端部においても取り付けられるが、以下においては、主に平入側の外壁について説明する。
【００１２】
本実施形態の住宅家屋は、図１に示すように、外壁と、屋根と、小屋裏３とを備えている。小屋裏３は、屋根の下方の空間であり、例えば、天井板８７と野地板８６との間の空間により構成される。なお、図中、符号８１は桁（または母屋），符号８２は垂木，符号８３は鼻隠し下地，符号８４は鼻隠しを示す。
【００１３】
外壁は、住宅家屋において、居住空間と屋外空間とを仕切る壁である。本実施形態の外壁は、壁下地１と、壁下地１の屋外側に配置された外壁材２と、外壁材２と壁下地１との間に形成された通気層２１とを備えている。
【００１４】
壁下地１は、外壁材２の下地となる躯体である。壁下地１は、複数の柱（または、小屋束）１１と、複数の柱１１間にわたって設置された透湿防水シート１２とを備えている。透湿防水シート１２の屋外側には、複数の縦胴縁１３が取り付けられている。複数の縦胴縁１３は、水平方向に一定の間隔をおいて配置されている。
【００１５】
外壁材２は、複数の縦胴縁１３に取り付けられている。外壁材２は、パネル状の外壁材２であり、例えば、窯業系サイディング材や、金属サイディング材などにより構成される。本実施形態の外壁材２は、横張り用の外壁材であるが、縦張り用の外壁材により構成されてもよい。なお、外壁材２を縦張りする場合には、例えば、横胴縁により壁下地１に取り付けられる。
【００１６】
外壁材２と壁下地１との間には、通気層２１が形成されている。通気層２１には、外壁の下方から空気が流入し、流入した空気が通気層２１を上昇し、その後、通気部材４を介して、屋外空間又は小屋裏３に流出する。この通気層２１内を移動する空気により、通気層２１が換気され、外壁材２の裏面や壁下地１の表面（透湿防水シート１２の表面）に生じる結露が抑制される。また、外壁材２と壁下地１との間に空気層２１が設けられていることで、断熱効果を得ることができる。
【００１７】
また、外壁材２を縦張りする場合、横胴縁により壁下地１と外壁材２との間に隙間が形成され、これにより通気層２１が形成される。横胴縁は、水平方向に延びているが、水平方向に隣り合う横胴縁との間に通気用の隙間が形成される。また、通気層２１は、外壁材２を壁下地１に取り付ける取付金具によって形成されてもよい。
【００１８】
なお、外壁の下方から空気が流入する構造については、周知のスタータ金具を用いて実現されている。このため、説明を省略する。
【００１９】
通気部材４は、通気層２１と小屋裏３と屋外空間とで通気を行うための部材である。通気部材４は、水平に延びており、外壁材２の上端の全長にわたって取り付けられる。通気部材４は、図２に示すように、屋外側開口４１，通気層側開口４２および小屋裏側開口５１３を有する本体部５と、本体部５を外壁に固定する取付部６とを備えている。本体部５と取付部６とは板金加工により一体に成形されている。
【００２０】
本体部５は、通気部材４の主体を構成する部分である。本体部５の内部には、屋外側開口４１，通気層側開口４２および小屋裏側開口５１３に相互に連通する通気路を有している。本体部５は、天板部５１と、屋外側縦片部５２と、底板部５３と、一対の側面部５４，５５と、屋外側横片部５６と、屋内側横片部５７と、縦板部５８と、縦片部５９とを備えている。
【００２１】
天板部５１は、本体部５の上面を構成する部分であり、本実施形態の天板部５１は、小屋裏側開口５１３と天板５１０とを備えている。天板部５１は、水平面に沿って延びており、天板５１０と小屋裏側開口５１３とが同一平面上に位置している。
【００２２】
屋外側縦片部５２は、天板５１０の屋外側の端部から下方に延出している。屋外側縦片部５２は、鉛直面に沿って形成されている。屋外側縦片部５２の上下方向の中間部分には、屋内側に向かって延出する屋外側横片部５６が形成されている。
【００２３】
屋外側横片部５６は、天板５１０の下方に隙間を介して位置している。屋外側横片部５６の屋内側の端部には、下方に延出する側面部５４（以下、屋外側側面部５４という）が形成されている。屋外側開口４１は、屋外側横片部５６と屋外側側面部５４とに跨って形成されており、通気部材４の長手方向に一定のピッチで複数並設されている。屋外側側面部５４の下端部には、屋内側に向かって延出する底板部５３が形成されている。
【００２４】
底板部５３は、本体部５の底面を構成する部分であり、天板部５１の下方に対向して配置されている。底板部５３は、屋外側側面部５４に略直交しているが、詳しくは、屋外側側面部５４に向かってやや下り傾斜している。屋外側側面部５４と底板部５３とのコーナー部分には、水抜き孔６０が形成されており、水抜き孔６０を介して底板部５３に付着した雨水を排出できる。底板部５３の屋内側の端部には、上方に延出する側面部５５（以下、屋内側側面部５５という）が形成されている。
【００２５】
屋内側側面部５５は、通気部材４の屋内側の面の大部分を構成する部分である。屋内側側面部５５は、鉛直面に沿って延びており、通気部材４が設置されると、縦胴縁１３に当たって接する。屋内側側面部５５の上端には、屋内側に向かって延出する屋内側横片部５７が形成されている。
【００２６】
屋内側横片部５７は、天板５１０の下方に隙間を介して位置しており、水平面に沿って延びている。屋内側横片部５７には、複数の通気層側開口４２が形成されている。通気層側開口４２は、通気部材４の長手方向に沿って一定のピッチで複数形成されている。通気層側開口４２は、天板５１０の屋内側の端部よりも屋内側に位置している。屋内側横片部５７の屋内側の端部には、上方に延出する縦板部５８が形成されている。
【００２７】
縦板部５８は、鉛直面に沿って形成されており、屋内側横片部５７に直交している。縦板部５８は、通気層側開口４２に近接して配置されている。縦板部５８の上端部は、屋外側に下方へ折り返されており、いわゆるヘミング曲げがなされている。縦板部５８は、通気部材４が設置されると、図１に示すように、屋外側の面（以下、気流受け面５８１）が通気層２１の厚み方向の中程に位置するように構成されている。これにより、万が一、屋外側開口４１から雨水が吹き込み、気流受け面５８１に雨水が付着しても、縦板部５８から落下する雨水が、壁下地１及び外壁の裏面に付着しにくくできる。
【００２８】
縦板部５８の上端部は、図２に示すように、天板５１０の屋内側の端部との間で小屋裏側開口５１３を形成する。小屋裏側開口５１３は小屋裏３に向かって開口する。小屋裏側開口５１３は、主に、屋外側開口４１との間で通気を行うが、通気層側開口４２との間でも通気可能である。小屋裏側開口５１３は、通気部材４の長手方向の全長にわたって連続して形成されている。
【００２９】
また、天板部５１において、屋内外方向の中間部分には、下方に延出する縦片部５９が形成されている。縦片部５９は、本体部５の内部を仕切って、本体部５の内部に通気路を形成する。縦片部５９は、鉛直面に沿って延びて板状に形成されており、縦片部５９の下端は、底板部５３との間に隙間を介して位置している。また、縦片部５９は、屋内側側面部５５の屋外側に隙間を介して配置されており、具体的には、屋内側側面部５５に対して平行に延びている。
【００３０】
このような構成の本体部５の内部には通気路が形成されている。通気路は、上述したように、屋外側開口４１，通気層側開口４２および小屋裏側開口５１３を相互に連通する。通気路は、図３に示すように、屋外側縦通気路９１と、開口部９２と、屋内側縦通気路９３（単に、縦通気路９３という）と、横通気路９４とが、この順番で連続的に形成されている。
【００３１】
屋外側縦通気路９１は、天板５１０と屋外側横片部５６の間，縦片部５９と屋外側側面部５４の間が連続することで形成されて、少なくとも一部が上下方向に延びた通路である。屋外側縦通気路９１の下端には開口部９２が繋がっている。
【００３２】
開口部９２は、縦片部５９の下端と底板部５３の間で形成されており、屋内外方向に開口している。開口部９２の開口縁のうちの下側の縁は、底板部５３の上面に含まれる。開口部９２は、小屋裏側開口５１３よりも下側で且つ屋外側に位置している。開口部９２は、通気路の途中に設けられており、屋外側縦通気路９１と縦通気路９３とを連通させる。この開口部９２から上方に縦通気路９３が延びている。
【００３３】
縦通気路９３は、屋内側側面部５５と縦片部５９の間で形成されている。縦通気路９３は、開口部９２から上方に空気を通す通路である。縦通気路９３は、本実施形態では、上下方向に延びており、屋外側縦通気路９１の上下方向に延びた部分と平行に形成されている。縦通気路９３の上端には、水平に延びる横通気路９４が形成されている。
【００３４】
横通気路９４は、天板５１０と屋内側横片部５７と縦板部５８とで囲まれており、小屋裏側開口５１３および通気層側開口４２に繋がっている。横通気路９４の流路断面積は、縦通気路９３の流路断面積よりも大きくなるように形成されている。また、横通気路９４の流路断面積は、小屋裏側開口５１３の開口面積と同一に形成されている。なお、横通気路９４の底面部は、屋内側横片部５７により構成されており、横通気路９４の上面部は天板５１０の屋内側の一部により構成されている。
【００３５】
ところで、この通気部材４は、設置された状態において、屋外空間と小屋裏３との間で通気可能に構成されるが、風雨が強い場合には、屋外側開口４１から雨水が吹き込むことがある。このため、本実施形態の通気部材４は、通気路において、雨水が小屋裏側開口５１３にまで至りにくい構造が採用されている。
【００３６】
図３に示すように、天板５１０は、横板部５１１と、気流受け部５１２とを備えている。
【００３７】
横板部５１１は、天板５１０において縦片部５９に対応する部分から、開口部９２の上縁（縦片部５９の下端）と、側面部の上端（縦通気路９３と横通気路９４との接続部分における下側のコーナー部９５）とを通る仮想直線７に至るまで延びる部分である。横板部５１１は、開口部９２を通る気流に含まれる水分、または、底板部５３の上面に付着した水滴などが直線状に飛散した場合に、当該水滴を受けることができる部分である。これにより、横板部５１１は、気流を受けることができ、また、底板部５３に付着した雨水が風に煽られて飛散し、縦片部５９と屋内側側面部５５との間を通過した場合に、雨水を受けることができる。
【００３８】
気流受け部５１２は、開口部９２から入って小屋裏側開口５１３に向かう気流を受けると共に飛散した雨水を受ける部分である。気流受け部５１２は横通気路９４に設けられている。気流受け部５１２は、仮想直線７と天板５１０との交点から屋内側に延出しており、すなわち、気流受け部５１２は、横板部５１１の屋内側の端部から屋内側に延びる延出部位で構成されている。気流受け部５１２は、その先端が小屋裏側開口５１３の開口縁を構成し、つまり、小屋裏側開口５１３は仮想直線７よりも屋内側に配置されている。気流受け部５１２は、開口部９２を通る気流に含まれる水分、または、底板部５３の上面に付着した水滴などが直線状に飛散して、横板部５１１に付着する前に、当該水滴が、横通気路９４を通る気流によって移動した場合に、水滴を受けることができる部分である。本実施形態の通気部材４は、横板部５１１に加えて気流受け部５１２が設けられていることで、より効果的に、気流を受けることができる上に、飛散した雨水を受けることができる。なお、気流受け部５１２と横板部５１１との境界は、外観上現れず、一体に形成されている。
【００３９】
風雨が屋外側開口４１から吹き込むと、雨水が、縦片部５９の屋外側の面に付着し、底板部５３に落下する。この状態で、更に屋外側開口４１から風が吹き込むと、底板部５３に付着した雨水は煽られて飛散する場合がある。このとき、飛散した雨水は、屋内側側面部５５と縦片部５９とに付着すると共に、一部が屋内側側面部５５と縦片部５９との間を通過する。
【００４０】
これに対し、本実施形態の通気部材４は、天板５１０において縦片部５９に対応する部分から、仮想直線７と天板部５１とが交わる部分まで延びる横板部５１１を有しているため、屋外側側面部５４と縦片部５９とを通過した雨水を効果的に受けることができる。特に、横板部５１１は、仮想直線７と天板部５１とが交わる部分にまで延びているため、雨水が直線状に飛散する限りは、必ず受けることができる。
【００４１】
一方、雨水が放物線状に飛散する場合、雨水が横板部５１１よりも屋内側に至る場合もある。これに対して、本実施形態の通気部材４は、横板部５１１の屋内側の端部から屋内側に延出する気流受け部５１２を有しているため、当該雨水についても受けることができる。この結果、雨水がダイレクトに小屋裏側開口５１３を通過するのを抑制でき、小屋裏側開口５１３を通過して雨水が小屋裏３に浸入するのを抑制することができる。
【００４２】
このような構成の本体部５には、取付部６が設けられている。取付部６は、屋内側側面部５５の下端部から下方に延出している。取付部６は、図１に示すように、縦胴縁１３を介して壁下地１にねじ留めされて固定される。
【００４３】
なお、取付部６が壁下地１に固定された状態において、底板部５３の下方において外壁材２が壁下地１に取り付けられる。この後、外壁材２と底板部５３との間にシーリング８５が配設される。
【００４４】
（実施形態２）
次に、実施形態２について説明する。なお、実施形態２は、実施形態１と大部分において同じであるため、同じ部分においては同符号を付して説明を省略し、主に異なる部分について説明する。
【００４５】
実施形態２の通気部材４も、実施形態１と同様、通気見切材であり、住宅家屋の外壁の上端部に取り付けられる。本実施形態に係る通気部材４は、図４に示すように、縦片部５９及び屋内側側面部５５の態様と、断熱材７４及び断熱材保持部７０を有する態様とが、実施形態１と異なり、その他の部分は同じ構造である。
【００４６】
本実施形態に係る縦片部５９は、鉛直面に沿って延びて板状に形成された垂直片５９０と、垂直片５９０の下端から屋内側斜め上方に突出した突出片５９１とを備えている。縦片部５９の下端は、実施形態１と同様、底板部５３との間に隙間を介して位置している。
【００４７】
本実施形態に係る開口部９２は、突出片５９１の先端と、底板部５３の上面の一部とで囲まれる鉛直面からなる開口である。開口部９２は、屋内外方向に開口しており、小屋裏側開口５１３よりも下側で且つ屋外側に位置している。
【００４８】
屋内側側面部５５は、鉛直面に沿って延びており、通気部材４が設置されると、縦胴縁１３に当たって接する。屋内側側面部５５は、屋内側横片部５７の屋内外方向の中間に対応する部分から下方に延びている。なお、本実施形態に係る屋内側側面部５５は、屋内側横片部５７が、屋外側の端部から屋内側に折り返されており、その折り返された先端に繋がっている。
【００４９】
ここで、図５には、通気路における各部分の区画を示す。縦通気路９３は、開口部９２から鉛直方向に延びる第１の縦路９３０と、横通気路９４につながる第２の縦路９３２と、第１の縦路９３０と第２の縦路９３２とを接続する接続路９３１とで構成される。つまり、本実施形態に係る縦通気路９３は、途中で曲がっているものの、全体としては開口部９２から上方に延びている。
【００５０】
仮想直線７は、図４に示すように、開口部９２の上縁（突出片５９１の先端）と、縦通気路９３と横通気路９４との接続部分における下側のコーナー部９５とを通る。気流受け部５１２は、実施形態１と同様、天板５１０のうち、仮想直線７よりも屋内側に位置する部分である。
【００５１】
また、本実施形態に係る通気部材４は、断熱材保持部７０と断熱材７４とを有している。
【００５２】
断熱材保持部７０は、縦板部５８に対し、屋外側に断熱材７４が位置した状態で、断熱材７４を保持する。断熱材保持部７０は、縦板部５８の上端から下方に延びる保持用縦板７１と、保持用縦板７１の下端から屋内方向に突出する下受部７２と、下受部７２の屋内側の端部から上方に突出した立上部７３とを備えている。立上部７３は、壁下地１に対向する。立上部７３の上端は、断熱材７４の上下方向の中間部分に位置しており、これにより、断熱材７４の屋内側の面のうちの少なくとも一部（本実施形態では上半部）が、断熱材保持部７０で覆われないように構成される。
【００５３】
断熱材７４は、図６に示すように、縦板部５８と壁下地１との間に位置して、縦板部５８から壁下地１に伝導する熱を断熱する。断熱材７４は、例えば、スラグ石膏板，ウレタンフォームやフェノールフォーム等の樹脂発泡体、ブチルゴム系膨張材、エポキシ樹脂系膨張材等により構成される。本実施形態では、断熱材７４は、石膏ボードである。
【００５４】
実施形態２に係る通気部材４は、実施形態１と同様、屋外側開口４１から通気路内に風雨が吹き込んだ際に、底板部５３に付着した雨水が風により飛散しても、気流受け部５１２によって、飛散した雨水を効果的に受けることができる。この結果、雨水を含む気流がダイレクトに小屋裏側開口５１３を通過するのを抑制でき、小屋裏側開口５１３を通過して雨水が小屋裏３に浸水するのを抑制することができる。
【００５５】
また、実施形態２に係る通気部材４は、縦板部５８の屋内側に断熱材７４が配置されるため、万が一、通気路に熱風が通り、縦板部５８の温度が上がっても、その熱が壁下地１に伝導するのを抑えることができる。
【００５６】
〔効果〕
以上説明したように、実施形態１，２の通気部材４は、屋外空間に開口する屋外側開口４１と、小屋裏３に開口する小屋裏側開口５１３とを通じさせる通気路を有する通気部材４である。通気路は、小屋裏側開口５１３よりも下側且つ屋外側に位置して屋内外方向に開口する開口部９２と、該開口部９２から上方に延びる縦通気路９３と、該縦通気路９３の上端から屋内側に水平に延びてその上方に位置する小屋裏側開口５１３に繋がる横通気路９４とを有している。横通気路９４には、開口部９２から入って小屋裏側開口５１３に向かう気流を受ける気流受け部５１２が設けられている。
【００５７】
この構成によれば、屋外側開口４１から通気路内に風雨が吹き込んだ際に、気流受け部５１２によって気流を受けることができると共に、そのとき、底板部５３に付着した雨水が風により飛散しても、気流受け部５１２によって、飛散した雨水を受けることができる。この結果、雨水を含む気流がダイレクトに小屋裏側開口５１３を通過するのを抑制でき、小屋裏側開口５１３を通過して雨水が小屋裏３に浸水するのを抑制することができる。
【００５８】
また、実施形態１，２の通気部材４は、次の付加的な構成を備える。すなわち、本実施形態の通気部材４において、横通気路９４の上面部は、屋内外方向と直交する水平な方向から見て、縦通気路９３と横通気路９４との接続部分における下側のコーナー部９５及び開口部９２の上縁を結ぶ仮想直線７と、横通気路９４の上面部と、の交点よりも屋内側に延びる延出部位を有している。気流受け部５１２は、この延出部位で構成されている。
【００５９】
この構成によれば、より広い範囲で気流を受けることができると共に、雨水の飛散を受けることができるため、雨水を含む気流がダイレクトに小屋裏側開口５１３を通過するのを一層抑制できる。
【００６０】
また、実施形態１の通気部材４は、次の付加的な構成を備える。すなわち、本実施形態の通気部材４において、横通気路９４の断面積は、小屋裏側開口５１３の開口面積と同一となるように構成されている。
【００６１】
この構成によれば、横通気路９４の断面積を拡大することで、横通気路９４内での気圧を下げることができるため、横通気路９４の露点が下がり、横通気路９４内の空気を凝縮させることができる。この結果、気流に含まれる水蒸気の量を減らすことができ、小屋裏側開口５１３から比較的乾燥した気流を流入させることができる。
【００６２】
また、実施形態１の通気部材４は、次の付加的な構成を備える。すなわち、本実施形態の通気部材４において、前記横通気路９４は、外壁材２と壁下地１との間に形成された通気層２１に開口する通気層側開口４２を有している。
【００６３】
この構成によれば、屋外空間と通気層２１と小屋裏３とで通気を行うことができる。
【００６４】
また、実施形態１の通気部材４は、次の付加的な構成を備える。すなわち、本実施形態の通気部材４において、通気層側開口４２は、小屋裏側開口５１３の下方に位置する。
【００６５】
この構成によれば、横通気路９４に入ったものの、気流受け部５１２により受けられた水を、通気層側開口４２を介して通気層２１に排出できる。
【００６６】
また、実施形態１の通気部材４は、次の付加的な構成を備える。すなわち、本実施形態の通気部材４において、横通気路９４の通気層２１側に配置され、下端部が通気層２１の厚み方向中程に位置する気流受け面５８１を備える。
【００６７】
この構成によれば、気流受け面５８１に付着した雨水を、通気層２１を通して排水できる。このとき、気流受け面５８１は、通気層２１の厚み方向中程に位置するため、気流受け面５８１から落下する水を、外壁材２と壁下地１との間に流すことができる。このため、落下する水を、外壁材２又は壁下地１に付着するのを抑制できる。
【００６８】
また、実施形態１，２の通気部材４は、次の付加的な構成を備える。すなわち、本実施形態の通気部材４において、通気層側開口４２は、横通気路９４の底面部に形成される。気流受け面５８１は、横通気路９４の底面部から上方に延びて、上端部が屋外側に折り返されている縦板部５８によって構成されている。
【００６９】
この構成によれば、縦板部５８の上端部が屋外側に折り返されているため、水が小屋裏側開口５１３に入るのを防ぐことができる。
【００７０】
また、実施形態２の通気部材４は、次の付加的な構成を備える。すなわち、本実施形態の通気部材４において、横通気路９４は、縦通気路９３側とは反対側の端部を形成する縦板部５８を有する。通気部材４は、縦板部５８に対して屋内側に断熱材７４を保持する断熱材保持部７０を有する。
【００７１】
この構成によれば、万が一、通気路に熱風が通り、縦板部５８の温度が上がっても、その熱が壁下地１に伝導するのを抑えることができる。
【００７２】
〔応用〕
上記実施形態の通気部材４は、小屋裏３と屋外空間とを通気するものであるため、小屋裏３との通気が必要な妻側の外壁の上端部にも好適に使用できる。一方、上記実施形態の通気部材４は、例えば、通気構造を有しない外壁の構造にも用いることができる。すなわち、上記実施形態の通気部材４は、小屋裏側開口５１３から水が通過するのを防ぐことができるため、例えば、破風下地等が小屋裏側開口５１３を塞ぐように通気部材４が取り付けられても、破風下地等が雨水で濡れるのを防ぐことができる。この結果、上記実施形態の通気部材４であれば、小屋裏３と屋外空間との通気を要する場所に限らず、小屋裏３と屋外空間との通気を要しない場所にも設置でき、１種類の通気部材４で各場所に対応できるため、在庫管理が容易となる。
【００７３】
上記実施形態の小屋裏側開口は、仮想直線７よりも屋内側に位置していたが、仮想直線７上に小屋裏側開口の縁部が位置していてもよい。つまり、気流受け部５１２は必須な構成ではない。
【００７４】
上記実施形態の小屋裏３の下方には、天井板８７が設けられていたが、上記実施形態の通気部材４は、小屋裏の下方に天井板８７が設けられていない、いわゆる化粧屋根裏天井を有する住宅家屋にも適用できる。つまり、本発明において「小屋裏」とは、天井板８７により居室と仕切られた空間に加え、天井板８７により区画されていない屋根裏も含むものとする。
【００７５】
その他、上記実施形態の構成は、本発明の主旨を逸脱しない範囲であれば、適宜設計変更を行うことができる。
【符号の説明】
【００７６】
２１    通気層
３      小屋裏
４      通気部材
４１    屋外側開口
４２    通気層側開口
５１２  気流受け部
５１３  小屋裏側開口
５８    縦板部
５８１  気流受け面
７      仮想直線
７０    断熱材保持部
７４    断熱材
９２    開口部
９３    縦通気路
９４    横通気路
９５    コーナー部
【図１】
2018131893.tif 000003
【図２】
2018131893.tif 000004
【図３】
2018131893.tif 000005
【図４】
2018131893.tif 000006
【図５】
2018131893.tif 000007
【図６】
2018131893.tif 000008